(57)【要約】【課題】わずかな手間で切削インサートを正確に調節することができる、カセットを提供する。【解決手段】本発明は、支持体（３０）、支持体（３０）に揺動可能に取り付けられ、かつ、切削インサートのための収容部（７２）を備えたシーソー部材（７０）及び調節部材（５２）を有し、その調節部材によってシーソー部材（７０）を支持体（３０）に対して調節することができる、切削インサート（１４）のためのカセット（１０）を提供する。【選択図】図８
2015134404.tif 000002
【特許請求の範囲】
【請求項１】
支持体（３０）、
支持体（３０）に揺動可能に取り付けられ、かつ、切削インサートのための収容部（７２）を備えた、シーソー部材（７０）、及び
調節部材（５２）、
を有し、
前記調節部材（５２）によってシーソー部材（７０）を支持体（３０）に対して調節することができる、
切削インサート（１４）のためのカセット（１０）。
【請求項２】
シーソー部材（７０）が、挿入ねじ（３８）によって支持体（３０）に揺動可能に取り付けられていることを特徴とする請求項１に記載のカセット（１０）。
【請求項３】
挿入ねじ（３８）が、切削インサート（１４）のための収容部（７２）を通って延びていることを特徴とする請求項２に記載のカセット（１０）。
【請求項４】
固定ねじ（４４）が設けられており、前記固定ねじ（４４）によってシーソー部材（７０）を支持体（３０）に締め付け固定することができることを特徴とする請求項１から３のいずれか１項に記載のカセット（１０）。
【請求項５】
調節部材（５２）が、シーソー部材（７０）と支持体（３０）の間で有効な、調節ねじ（５２）であることを特徴とする請求項１から４のいずれか１項に記載のカセット（１０）。
【請求項６】
調節ねじ（５２）が、支持体（３０）内に螺合されていることを特徴とする請求項５に記載のカセット（１０）。
【請求項７】
調節ねじ（５２）がヘッド（５４）を有し、前記ヘッドがシーソー部材（７０）に作用することを特徴とする請求項６に記載のカセット（１０）。
【請求項８】
調節ねじ（５２）のヘッド（５４）が、シーソー部材（７０）に設けられた切り欠き（８４）内に収容されていることを特徴とする請求項７に記載のカセット（１０）。
【請求項９】
シーソー部材（７０）がガイド（８０）を有し、シーソー部材（７０）は、前記ガイド（８０）によって支持体（３０）内に揺動可能に収容されていることを特徴とする請求項１から８のいずれか１項に記載のカセット（１０）。
【請求項１０】
ガイド（８０）が、アーチ形状のガイド突出部（８０）を有し、前記ガイド突出部（８０）が支持体（３０）内のアーチ形状のガイド溝（４８）内へ嵌入することを特徴とする請求項９に記載のカセット（１０）。
【請求項１１】
収容部（７２）内に配置されて、挿入ねじ（３８）によってシーソー部材（７０）とそれに伴って支持体（３０）に締め付け固定されている、切削インサート（１４）を有するカセット（１０）。
【発明の詳細な説明】
【技術分野】
【０００１】
本発明は、切削インサート用のカセットに関する。
【背景技術】
【０００２】
この種のカセットは、切削インサートを工具、たとえばフライスディスクまたはターニング−ターンブローチディスク、に取り付けるために用いられる。カセットは交換できるので、わずかな手間で予め装填されたカセットを工具に取り付けることができる。
【０００３】
精密な切削プロセスのためには、切削インサートが正確に方向付けされてカセットに、あるいはカセット内に取り付けられることが重要である。そのために、従来技術においては、種々の調節装置が知られている。しかしこれらは、それによって得られる精密さ又は必要な手間に関して満足のゆくものではない。方向付けの精度をカセット内の設備とインデックス可能インサートの付属の角度誤差とを介して得ることも、知られている。
【発明の概要】
【発明が解決しようとする課題】
【０００４】
本発明の課題は、わずかな手間で切削インサートを正確に調節することができる、カセットを提供することにある。
【課題を解決するための手段】
【０００５】
この課題を解決するために、本発明によれば、支持体、支持体に揺動可能に取り付けられ、かつ切削インサート用の収容部を備えたシーソー部材および調節部材を有し、その調節部材によってシーソー部材を支持体に対して調節することができる、切削インサート用のカセットが設けられる。本発明は、わずかな手間と高い精度で切削インサートを調節することができるようにするために、シーソー部材が極めて適している、という認識に基づいている。一方で、揺動運動によって切削インサートが基準平面に対して極めて正確に方向付けされる。他方で、調節部材がシーソー部材において、シーソー部材の揺動点から比較的大きい間隔を有する点に作用する場合に、生じる梃子比に基づいて、シーソー部材を極めて細かく調節することができる。さらに、機械的に簡単な構造が得られ、その構造はコスト的に好ましく、かつ頑丈に形成することができる。
【０００６】
本発明の形態によれば、シーソー部材は挿入ねじによって支持体に揺動可能に取り付けられている。その場合に挿入ねじは、一方では切削インサートをシーソー部材と支持体に固定し、他方ではシーソー部材の揺動軸を定める二重機能を有する。
【０００７】
その場合に好ましくは、挿入ねじは切削インサートのための収容部を通って延びる。このことによって、挿入ねじが切削インサートの中央の孔を通して螺合されることにより、わずかな手間で切削インサートを固定することが可能になる。
【０００８】
本発明の形態によれば、固定ねじが設けられており、その固定ねじによってシーソー部材を支持体に締め付け固定することができる。固定ねじは、シーソー部材が調節部材によって方向付けされた後に、シーソー部材を付加的に固定することを、可能にする。
【０００９】
本発明の好ましい実施形態によれば、調節部材は、シーソー部材と支持体の間で有効な調節ねじである。調節ねじは、それを用いて極めて正確に回転運動を軸方向の調節運動に、そしてそこから出発して再びシーソー部材の揺動運動に変換することができる、という利点を提供する。
【００１０】
好ましくは、調節ねじは、支持体内へ螺合されている。これが、場合によって生じる付加的な構成要素の誤差を回避する。
【００１１】
本発明の形態によれば、調節ねじがヘッドを有し、そのヘッドがシーソー部材に作用する。この形態は、製造の手間が小さいことを特徴としている。
【００１２】
調節ねじのヘッドがシーソー部材の切り欠き内に収容されている場合に、ねじの軸方向の調節運動が直接シーソー部材の揺動運動に変換され、他の構成要素とその誤差が調節プロセスに関与することはない。
【００１３】
好ましい実施形態によれば、シーソー部材がガイドを有し、そのガイドによってシーソー部材が支持体内に揺動可能に収容されている。ガイドは、シーソー部材が挿入ねじに関係なく支持体において正確に案内されることを保証し、それが精度を向上させる。
【００１４】
その場合に好ましくは、ガイドがアーチ形状の突出部を有し、それが支持体内のアーチ形状のガイド溝内へ嵌入する。この形態において、ガイドは、シーソー部材の揺動運動によって予め定められ、それによってガイドの精度が改良される。
【００１５】
上で挙げた課題を解決するために、収容部内に配置されて、挿入ねじによってシーソー部材とそれに伴って支持体に締め付け固定されている、切削インサートを有するカセットも、設けられている。生じる利点に関しては、上述した説明を参照するよう指示する。
【００１６】
以下、添付の図面に示す好ましい実施形態を用いて、本発明を説明する。
【図面の簡単な説明】
【００１７】
【図１】切削インサートを有する本発明に基づくカセットを示す斜視図である。
【図２】図１のカセットを示す正面図である。
【図３】図１のカセットを示す側面図である。
【図４】支持体を示す斜視図である。
【図５】シーソー部材を示す第１の斜視図である。
【図６】シーソー部材を示す第２の斜視図である。
【図７】シーソー部材を示す第３の斜視図であって、その場合に切削インサートがシーソー部材に取り付けられている。
【図８】カセットを図式的に示す断面図である。
【発明を実施するための形態】
【００１８】
図には、カセット１０が示されており、カセット１０は、重要な構成要素として切削インサート１４、支持体３０及びシーソー部材７０を有している。
【００１９】
切削インサート１４は、ここでは特にクランク軸加工用に設けられている。この目的のために、多数のカセット１０とそれに取り付けられた切削インサート１４がフライスディスク（ここには図示せず）に取り付けられる。この目的のために支持体３０をフライスディスクに取り付けるやり方は、本発明にとっては重要ではない。また、切削インサート１４とカセット１０の具体的な使用目的も重要ではなく、カセット１０には、他の切削加工ステップを実施する、他の種類の切削インサートを装填することもできる。本発明の枠内で重要なのは、どのようにして切削インサート１４を支持体３０に対して方向付けすることができるか、というやり方である。
【００２０】
支持体３０には、支持ブロック３２が設けられており、支持ブロック３２には、シーソー部材７０のための平坦な添接面３４が設けられている。支持ブロック３２内には、挿入ねじ３８のための第１のねじ孔３６と、固定ねじ４４のための第２のねじ孔４０が設けられている。
【００２１】
支持ブロック３２の張り出した部分と支持体３０に設けられた添接面４６との間にガイド４８が形成されており、そのガイドは、ここでは添接面４６と、支持ブロック３２の張り出した部分に設けられたガイド面５０との間にアーチ形状のガイド溝として形成されている。ガイド４８の曲率中心点は、ねじ孔３６の長手軸と一致する。
【００２２】
ガイド４８のアーチ形状のガイド溝内へ、調節ねじ５４のヘッド５２が嵌入し、その調節ねじは支持体内の調節ねじ孔５６内に螺合されている。調節ねじ５４は、以下で説明するように、シーソー部材７０のための調節部材として用いられ、かつ、支持体３０の側面から接近できる。
【００２３】
シーソー部材７０（特に図５から７を参照）は、概ね細長く、一方の端部に切削インサート１４用の収容部７２を有している。収容部７２内には、挿入ねじ３８のための透孔７４も設けられている。
【００２４】
収容部７２には、シーソー部材７０の厚肉部分が連続しており、その中に固定ねじ孔７６が配置されており、それを通して固定ねじ４４が延びる。固定ねじ孔７６の直径は、固定ねじ４４の直径よりも大きいので、明らかなあそびが存在する。
【００２５】
シーソー部材の、収容部７２とは反対側の端部に、アーチ形状のガイド突出部８０が設けられており、その寸法とその曲率は、支持体３０内のガイド４８に適合されている。
【００２６】
シーソー部材７０のアーチ形状の終端面８２の領域内に、切り欠き８４が設けられており、その中へ調節ねじ５４のヘッド５２が嵌入する。特に図３および８に見られるように、シーソー部材７０は支持体３０に、シーソー部材７０のアーチ形状のガイド突出部８０が支持体３０に設けられたアーチ形状のガイド４８内へ嵌入するように、取り付けられる。その場合にシーソー部材の、収容部７２とは反対側の平坦な背面が、支持ブロック３２の添接面３４に添接する。
【００２７】
支持体３０に対するシーソー部材７０の正確な方向付けは調節ねじ５４によって定められる。この調節ねじ５４が調節ねじ孔５６にねじ込まれる方向に螺合され、あるいは調節ねじ孔５６から外れる方向に螺合されることによって軸方向に変位した場合に、その変位が、切り欠き８４内への調節ねじ５４のヘッド５２の嵌入を介してシーソー部材７０の揺動運動に伝達される。固定ねじ孔７６と固定ねじ４４の間のあそびは、シーソー部材７０の揺動角度の調節が可能となるように形成されている。
【００２８】
正確に調節するために、好ましくは、まず挿入ねじ３８と固定ねじ４４が手でしっかりと締め付けられる。その後、切削インサート１４が取り付けられているシーソー部材の位置が、時計方向または反時計方向に調節ねじ５４を回転させることによって適切に調節される。特に、切削インサート１４の切削エッジは、所定の基準平面に対して垂直または平行に延びるように、方向付けすることができる。所望の調節が達成されるとすぐに、挿入ねじ３８と固定ねじ４４がしっかりと締め付けられる。
【００２９】
調節ねじとシーソー部材の間の接触が、シーソー部材７０の揺動軸から比較的大きい間隔で行われると、特に効果的である。したがって梃子比に基づいて、調節ねじの所定の軸方向の移動がシーソー部材の極めて小さい揺動角度に変換され、それにより、切削インサートの方向付けの極めて正確な調節が可能となる。調節ねじとシーソー部材の揺動軸との間の間隔は、特に、切削インサートの幅の大きさである。
【符号の説明】
【００３０】
１０   カセット
１４   切削インサート
３０   支持体
３２   支持ブロック
３４   添接面
３６   第１のねじ孔
４０   第２のねじ孔
４６   添接面
４８   ガイド
５０   ガイド面
５２   ヘッド
５６   孔
７０   シーソー部材
７２   収容部
７４   透孔
７６   固定ねじ孔
８０   ガイド突出部
８２   終端面
【図１】
2015134404.tif 000003
【図２】
2015134404.tif 000004
【図３】
2015134404.tif 000005
【図４】
2015134404.tif 000006
【図５】
2015134404.tif 000007
【図６】
2015134404.tif 000008
【図７】
2015134404.tif 000009
【図８】
2015134404.tif 000010